(57)【要約】      （修正有）【課題】光学顕微鏡において、安価でかつ、もともと暗視野観察用照明あるいは実体観察用照明のための構成をもたない光学顕微鏡に後付けが可能な照明装置で、観察試料の近傍に移動可能な状態で配置した簡易な構成により明視野照明および暗視野照明が実施できるとともに、明視野光学系と暗視野光学系のいずれにも切り換えても照明が得られ、しかも軽量、小型化および省電力化が実現できる透過型顕微鏡および実体顕微鏡の照明装置を提供する。【解決手段】本照明装置を、もともと暗視野照明あるいは実体観察用照明のための構成をもたない既存の透過型光学顕微鏡および実体顕微鏡に装着することにより、明視野系透過および暗視野系透過観察、並びに実体観察が可能となり、必要に応じ３次元的に配置された複数個の光源を選択的に点灯させる。また、光源の色種を替えることにより、フィルターを交換して観察する事と同程度の効果となる。【選択図】図１
0003157973.tif 000002
【実用新案登録請求の範囲】
【請求項１】
光学顕微鏡において観察試料を照明するための発光部を有する照明装置で、対物レンズと、観察試料支持部とを有する前記光学顕微鏡に用いる照明装置であって、ベース部、電源、スイッチ、可動型アームおよび発光部を有し、前記発光部は前記観察試料支持部の前記観察試料の近傍に移動可能な状態で配置され、暗視野系観察として使用する場合には、前記発光部は前記対物レンズの光軸において、前記対物レンズに対して前記観察試料支持部を挟んで反対側に配置され、前記発光部からの照明光を前記観察試料に向けて、前記観察試料支持部の斜め下方から照射すると、前記観察試料からの反射光は前記対物レンズの光軸に入射され、暗視野系観察が容易にできる事を特徴とする光学顕微鏡の照明装置。
【請求項２】
光学顕微鏡において観察試料を照明するための発光部を有する照明装置で、対物レンズと、観察試料支持部とを有する前記光学顕微鏡に用いる照明装置であって、ベース部、電源、スイッチ、可動型アームおよび発光部を有し、前記発光部は前記観察試料支持部の前記観察試料の近傍に移動可能な状態で配置され、明視野系観察として使用する場合には、前記発光部は前記対物レンズの光軸において、前記対物レンズに対して前記観察試料支持部を挟んで反対側に配置され、前記発光部からの照明光を前記観察試料に向けて、前記観察試料支持部の下方から照射すると、前記観察試料からの透過光は前記対物レンズの光軸に入射され、明視野系観察が容易にできる事を特徴とする光学顕微鏡の照明装置。
【請求項３】
光学顕微鏡において観察試料を照明するための発光部を有する照明装置で、対物レンズと、観察試料支持部とを有する前記光学顕微鏡に用いる照明装置であって、ベース部、電源、スイッチ、可動型アームおよび発光部を有し、前記発光部は前記観察試料支持部の前記観察試料の近傍に移動可能な状態で配置され、通常の透過型光学顕微鏡を実体顕微鏡として使用する場合には、前記発光部は前記観察試料支持部に対して前記対物レンズと同じ側に配置され、前記発光部からの照明光を前記観察試料に向けて、前記観察試料支持部の斜め上方から照射すると、前記観察試料からの反射光は前記対物レンズの光軸に入射され、実体観察が容易にできる事を特徴とする光学顕微鏡の照明装置。
【請求項４】
光学顕微鏡のための照明装置が、請求項１、請求項２および請求項３に記載の装置を有し、スイッチの切り替えにより、選択的に、暗視野系、明視野系および実体観察系照明の点灯が容易にできる事を特徴とする光学顕微鏡の照明装置。
【考案の詳細な説明】
【技術分野】
【０００１】
本考案は、光学顕微鏡に用いられる明視野照明および暗視野照明、並びに実体観察用照明に関するものである。
【背景技術】
【０００２】
従来、光学顕微鏡には、明視野では見えづらい観察試料（標本）の傷等を観察するために暗視野観察を行えるようにした暗視野顕微鏡がある。このような暗視野観察が行える光学顕微鏡は、観察試料（標本）を照明するための暗視野照明装置を有している。
【０００３】
従来、暗視野照明装置として、例えば、特許文献１、２および３に示されるように、照明光源から観察試料（標本）に至る途中の光路にリング状のファイバを挿入し、このファイバによるリング照明により暗視野照明を行う装置が多く提案されている。
【０００４】
特許文献１の暗視野照明装置は、対物レンズを囲む暗視野照明用光路と、前記暗視野照明光路によって導かれた照明光で観察試料（標本）を照明する光学顕微鏡の落射照明装置である。この特許文献１の暗視野照明装置は、暗視野照明に照明光を供給する環状光源をレボルバ内に設けている。
【０００５】
特許文献２の暗視野照明装置は、落射照明光を導入するハーフミラーと、対物レンズの間に環状ファイバの出射端とを有し、落射照明系中の光源と共役な位置にファイバの入射端または開口絞りを切り換え可能に配置している。
【０００６】
特許文献３の暗視野照明装置は、観察光路中に選択的に配置される対物レンズを備えた光学顕微鏡に設けられている。この特許文献３の暗視野照明装置は、対物レンズに脱着可能に設けられ光入射部と光入射部からの光を対象物へ照射する光照射部とを有する光伝達手段を備えた照明手段と、照明手段とは機械的に分離され照明手段の光入射部に向けて光りを照射する光源と、を有している。
【先行技術文献】
【特許文献】
【０００７】
【特許文献１】特許第３０８０３９３号公報「落射照明装置」
【特許文献２】特開２００３−５０８２号公報「顕微鏡システム」
【特許文献３】特許第３３２１２６０号公報「外観検査装置」
【考案の概要】
【考案が解決しようとする課題】
【０００８】
特許文献１の暗視野照明装置は、暗視野照明するために、対物レンズを囲む暗視野照明用光路と、光学顕微鏡本体に対して脱着可能なレボルバとが必要である。暗視野照明用光路を有する対物レンズは、一般的な対物レンズとは取り付けネジ径が異なる。具体的には、暗視野照明用光路を有する対物レンズは、暗視野照明光路を持たない対物レンズに比べて、ネジ径が大きい。このように、暗視野照明光路を持つ対物レンズは、特殊な形状であるため、製造コストが高くなってしまう。また、脱着可能なレボルバは、レボルバ自体が高価であるとともに、レボルバが脱着できるように光学顕微鏡本体を構成する事により、光学顕微鏡本体自体の製造コストも上昇してしまう。
【０００９】
このように、特許文献１の暗視野照明装置は、通常の安価な光学顕微鏡には適用し難いという問題がある。
【００１０】
また、特許文献２の暗視野照明装置は、特許文献１と同様に暗視野照明光路を有する対物レンズを採用しているため、対物レンズの価格が高くなってしまう。また、落射照明系中の光源と共役な位置に、ファイバの入射端または開口絞りを切り換え可能にするためにはかなりのスペースが必要であり、顕微鏡本体内部に落射照明装置が内蔵される事が多い倒立型の光学顕微鏡においては、顕微鏡本体そのものが大型化してしまうという欠点がある。また、切り換え機構等を配置する事により、大幅な製造コストの上昇が予想される。このため、特許文献２の暗視野照明装置も、やはり通常の安価な光学顕微鏡には適用し難いという問題を有する。
【００１１】
また、特許文献３の暗視野照明装置は、対物レンズを囲む暗視野照明用光路と顕微鏡本体に対して脱着可能なレボルバ等を必要としないため、対物レンズと顕微鏡本体の製造コストの上昇という問題は回避される。しかしながら、特許文献３の暗視野照明装置における照明手段は、光入射部と光出射部との間をファイバ等により光を伝達する構成であるため、この構成による照明手段の製造コストも高価なものとなってしまう。さらに、前記照明手段は、暗視野観察を実施したい対物レンズの本数だけ用意する必要がある。このため、特許文献３の暗視野照明装置を用いた光学顕微鏡システムは、システム全体としての製造コストが高くなるという欠点がある。
【００１２】
上記課題を鑑みて、本発明の目的は、光学顕微鏡の観察において、安価でかつ、もともと暗視野照明のための構成をもたない光学顕微鏡に後付けが可能な照明装置で、さらに観察試料（標本）の近傍に配置した簡易な構成により、安価で明視野照明および暗視野照明を行えるとともに、明視野光学系と暗視野光学系のいずれにも切り換えても照明が得られ、しかも軽量、小型化および省電力化が実現できる光学顕微鏡の照明装置を提供する。
【課題を解決するための手段】
【００１３】
本考案の光学顕微鏡の照明装置は、上記課題を鑑みて、以下の構成を有している。
【００１４】
本考案の一態様の顕微鏡用照明装置は、対物レンズと、観察時に観察試料が配置される着脱可能な観察試料支持部（ステージ）とを有する光学顕微鏡に用いられる。この照明装置は、電源（例えば、乾電池）、スイッチおよび照明光を出力する光出射部を有し、光出射部は前記観察試料支持部（ステージ）の観察試料の近傍に配置される。暗視野系観察として使用する場合には、照明装置は対物レンズの光軸において、前記対物レンズに対して観察試料支持部（ステージ）を挟んで反対側に配置される。この照明装置は、前記照明光を前記観察試料（標本）に向けて、前記観察試料支持部（ステージ）の斜め下方から照射すると、前記観察試料（標本）からの反射光は、前記対物レンズの光軸に入射するように配置されている。観察に必要に応じ、３次元的に配置された複数個の光源（例えば、超高輝度発光ダイオード）を選択的に点灯させる。
【００１５】
本考案の他の様の顕微鏡用照明装置は、対物レンズと、観察時に観察試料が配置される着脱可能な観察試料支持部（ステージ）とを有する光学顕微鏡に用いられる。この照明装置は、電源（例えば、乾電池）、スイッチおよび照明光を出力する光出射部を有し、光出射部は前記観察試料支持部（ステージ）の観察試料の近傍に配置される。明視野系観察として使用する場合には、照明装置は対物レンズの光軸において、前記対物レンズに対して観察試料支持部（ステージ）を挟んで反対側に配置される。この照明装置は、前記照明光を前記観察試料に向けて、下方から照射すると、前記観察試料（標本）からの透過光は、前記対物レンズの光軸に入射するように配置されている。観察に必要に応じ３次元的に配置された複数個の光源（例えば、超高輝度発光ダイオード）を選択的に点灯させる。
【００１６】
本考案のさらに他の様の顕微鏡用照明装置は、対物レンズと、観察時に観察試料が配置される着脱可能な観察試料支持部（ステージ）とを有する光学顕微鏡に用いられる。この照明装置は、電源（例えば、乾電池）、スイッチおよび照明光を出力する光出射部を有し、光出射部は前記観察試料支持部（ステージ）の観察試料の近傍に配置される。通常の透過型光学顕微鏡を実体顕微鏡として使用する場合には、観察試料支持部に対して対物レンズと同じ側に配置される。この照明装置は、前記照明光を前記観察試料に向けて、斜め上方から照射すると、前記観察試料（標本）からの反射光は、前記対物レンズの光軸に入射するように配置されている。観察に必要に応じ３次元的に配置された複数個の光源（例えば、超高輝度発光ダイオード）を選択的に点灯させる。
【考案の効果】
【００１７】
本考案は、光学顕微鏡の観察において、安価でかつ、もともと暗視野照明あるいは実体観察用照明のための構成をもたない透過型光学顕微鏡に後付けが可能な照明装置で、さらに試料の近傍に配置した簡易な構成により明視野照明および暗視野照明を行えるとともに、明視野光学系と暗視野光学系のいずれにも切り換えても照明が得られ、しかも軽量、小型化および省電力化が実現できる顕微鏡の照明装置を提供し得る。
【図面の簡単な説明】
【００１８】
【図１】図１は、光学顕微鏡の照明装置の側面図である。
【図２】図２は、実施例１の形態に従った暗視野系観察として、透過型光学顕微鏡に照明装置が適用された概略的な側面図である。
【図３】図３は、実施例２の形態に従った明視野系観察として、透過型光学顕微鏡に照明装置が適用された概略的な側面図である。
【図４】図４は、実施例３の形態に従った実体観察として、透過型光学顕微鏡に照明装置が適用された概略的な側面図である。
【考案を実施するための形態】
【００１９】
以下、本考案の実施の形態を図に基づいて説明する。
【００２０】
図１は本考案装置の側面図であって、図２、図３および図４は本考案の実施形態について透過型光学顕微鏡に適用した場合の全体構成図であり、図２は暗視野照明、図３は明視野照明、図４は実体観察用照明をそれぞれ示す。
【実施例１】
【００２１】
図２は、本考案装置の実施例１の側面図であって、暗視野系観察として使用する場合、透過型光学顕微鏡に照明装置が適用された概略的な構造を示す。
【００２２】
本考案の照明装置は、光学顕微鏡の観察において、安価でかつ、もともと暗視野照明のための構成をもたない光学顕微鏡に後付けが可能な照明装置で、さらに観察試料（標本）の近傍に配置した簡易な構成により暗視野照明を得る事ができ、しかも軽量、小型化および省電力化が実現できる光学顕微鏡の照明装置である。
【００２３】
対物レンズと、観察時に観察試料が配置される着脱可能な観察試料支持部（ステージ）とを有する光学顕微鏡に用いる照明装置であって、照明光を出力する光出射部を有し、前記観察試料支持部の観察試料の近傍に配置される。暗視野系観察として使用する場合には、照明装置は対物レンズの光軸において、前記対物レンズに対して観察試料支持部（ステージ）を挟んで反対側に配置される。前記照明光を前記観察試料に向けて、前記観察試料支持部（ステージ）の斜め下方から照射すると、反射光は対物レンズに入射する。もともと暗視野照明のための構成をもたない既存の光学顕微鏡に後付けする事により、暗視野系観察が容易に可能となる。観察に必要に応じ３次元的に配置された複数個の光源（例えば、超高輝度発光ダイオード）を選択的に点灯させる。また、光源（例えば、超高輝度発光ダイオード）の色種（白色、青色、赤色、電球色等）を替える事により、フィルターを交換して観察する事と同程度の効果となる。
【実施例２】
【００２４】
図３は、本考案装置の実施例２の側面図であって、明視野系観察として使用する場合、
透過型光学顕微鏡に照明装置が適用された概略的な構造を示す。
【００２５】
本考案は、光学顕微鏡の観察において、安価でかつ、透過照明装置等、もともと明視野照明のための構成をもたない顕微鏡に後付けが可能な照明装置で、さらに観察試料（標本）の近傍に配置した簡易な構成により明視野照明を得る事ができ、しかも軽量、小型化および省電力化が実現できる光学顕微鏡の照明装置である。
【００２６】
対物レンズと、観察時に観察試料が配置される着脱可能な観察試料支持部（ステージ）とを有する光学顕微鏡に用いる照明装置であって、照明光を出力する光出射部を有し、前記観察試料支持部（ステージ）の観察試料の近傍に配置される。明視野系観察として使用する場合には、照明装置は対物レンズの光軸において、前記対物レンズに対して観察試料支持部（ステージ）を挟んで反対側に配置される。前記照明光を前記観察試料に向けて、前記観察試料支持部（ステージ）の下方から照射すると、透過光は対物レンズに入射する。透過照明装置等、もともと明視野照明のための構成をもたない既存の簡易な透過型光学顕微鏡に後付けする事により、明視野系観察が容易に可能となる。観察に必要に応じ３次元的に配置された複数個の光源（例えば、超高輝度発光ダイオード）を選択的に点灯させる。また、光源（例えば、超高輝度発光ダイオード）の色種（白色、青色、赤色、電球色等）を替える事により、フィルターを交換して観察する事と同程度の効果となる。
【実施例３】
【００２７】
図４は、本考案装置の実施例３の側面図であって、実体観察として使用する場合、透過型光学顕微鏡に照明装置が適用された概略的な構造を示す。
【００２８】
本考案は、光学顕微鏡の観察において、安価でかつ、もともと実体観察用照明のための構成をもたない顕微鏡に後付けが可能な照明装置で、さらに観察試料（標本）の近傍に配置した簡易な構成により実体観察用照明を得る事ができ、しかも軽量、小型化および省電力化が実現できる光学顕微鏡の照明装置である。
【００２９】
対物レンズと、観察時に観察試料が配置される着脱可能な観察試料支持部（ステージ）とを有する光学顕微鏡に用いる照明装置であって、照明光を出力する光出射部を有し、前記観察試料支持部（ステージ）の観察試料（標本）の近傍に配置される。通常の透過型光学顕微鏡を実体顕微鏡として使用する場合には、照明装置は観察試料支持部（ステージ）に対して対物レンズと同じ側に配置される。前記照明光を前記観察試料に向けて、斜め上方から照射すると、反射光は対物レンズに入射する。実体顕微鏡用照明の構成をもたない既存の透過型光学顕微鏡に後付けする事により、実体観察が容易に可能になる。観察に必要に応じ３次元的に配置された複数個の光源（例えば、超高輝度発光ダイオード）を選択的に点灯させる。また、光源（例えば、超高輝度発光ダイオード）の色種（白色、青色、赤色、電球色等）を替える事により、フィルターを交換して観察する事と同程度の効果となる。
【産業上の利用可能性】
【００３０】
以上述べたように本考案の照明装置によれば、もともと暗視野照明のための構成をもたない既存の透過型光学顕微鏡および実体顕微鏡に装着する事により、明視野系透過および暗視野系透過観察、並びに実体観察が容易に可能となるとともに、安価、軽量、小型、長寿命および省電力な照明装置を提供できる。
【符号の説明】
【００３１】
１  発光部
２  カバー
３  電源（乾電池）
４  メインスイッチ
５  切り換えスイッチ
６  可動型アーム
７  ベース部
８  支持部
９  導線
１０  照明光
１１  反射光
１２  透過光
１００  対物レンズの光軸
１０１  対物レンズ
１０２  観察試料支持部
１０３  観察試料
１０４  レボルバ
１０５  絞り
【図１】
0003157973.tif 000003
【図２】
0003157973.tif 000004
【図３】
0003157973.tif 000005
【図４】
0003157973.tif 000006
【手続補正書】
【提出日】平成21年12月14日(2009.12.14)
【手続補正１】
【補正対象書類名】実用新案登録請求の範囲
【補正対象項目名】全文
【補正方法】変更
【補正の内容】
【実用新案登録請求の範囲】
【請求項１】
光学顕微鏡において観察試料を照明するための発光部を有する照明装置で、対物レンズと、観察試料支持部とを有する前記光学顕微鏡に用いる照明装置であって、ベース部、電源、スイッチ、可動型アームおよび発光部を有し、前記発光部は前記観察試料支持部の前記観察試料の近傍に移動可能な状態で配置され、暗視野系観察として使用する場合には、前記発光部は前記対物レンズの光軸において、前記対物レンズに対して前記観察試料支持部を挟んで反対側に配置され、前記発光部からの照明光を前記観察試料に向けて、前記観察試料支持部の斜め下方から照射すると、前記観察試料からの反射光は前記対物レンズの光軸に入射され、暗視野系観察が容易にできる事を特徴とする光学顕微鏡の照明装置。
【請求項２】
光学顕微鏡において観察試料を照明するための発光部を有する照明装置で、対物レンズと、観察試料支持部とを有する前記光学顕微鏡に用いる照明装置であって、ベース部、電源、スイッチ、可動型アームおよび発光部を有し、前記発光部は前記観察試料支持部の前記観察試料の近傍に移動可能な状態で配置され、明視野系観察として使用する場合には、前記発光部は前記対物レンズの光軸において、前記対物レンズに対して前記観察試料支持部を挟んで反対側に配置され、前記発光部からの照明光を前記観察試料に向けて、前記観察試料支持部の下方から照射すると、前記観察試料からの透過光は前記対物レンズの光軸に入射され、明視野系観察が容易にできる事を特徴とする光学顕微鏡の照明装置。
【請求項３】
光学顕微鏡において観察試料を照明するための発光部を有する照明装置で、対物レンズと、観察試料支持部とを有する前記光学顕微鏡に用いる照明装置であって、ベース部、電源、スイッチ、可動型アームおよび発光部を有し、前記発光部は前記観察試料支持部の前記観察試料の近傍に移動可能な状態で配置され、通常の透過型光学顕微鏡を実体顕微鏡として使用する場合には、前記発光部は前記観察試料支持部に対して前記対物レンズと同じ側に配置され、前記発光部からの照明光を前記観察試料に向けて、前記観察試料支持部の斜め上方から照射すると、前記観察試料からの反射光は前記対物レンズの光軸に入射され、実体観察が容易にできる事を特徴とする光学顕微鏡の照明装置。
【請求項４】
光学顕微鏡のための照明装置が、請求項１、請求項２および請求項３のいずれか一項に記載の装置を有し、スイッチの切り替えにより、選択的に、暗視野系、明視野系および実体観察系照明の点灯が容易にできる事を特徴とする光学顕微鏡の照明装置。